(57)【要約】【課題】停電原因が分電盤より屋内側なのか屋外側なのかをユーザが目視により直接的に認識可能とする。【解決手段】巻き取り装置１１０ａは、主ブレーカ１２１の負荷側から電源の供給を受け、屋内が停電した旨の記載がなされた第１の表示プレート１０８ａを、非表示位置に保持する。巻き取り装置１１０ｂは、主ブレーカ１２１の電源側から電源の供給を受け、屋外が停電した旨の記載がなされた第２の表示プレート１０８ｂを、非表示位置に保持する。停電原因が屋内側にあるとき、表示プレート１０８ａは保持状態が解除されて表示位置（破線図示）に移動し、ユーザはその記載内容から、屋内側に停電原因があると認識できる。停電原因が分電盤１２０より屋外側にあるとき、表示プレート１０８ａ，１０８ｂはともに保持状態が解除されて表示位置に移動し、ユーザは表示プレート１０８ｂの記載内容から、屋外側に停電原因があると認識できる。【選択図】図２
2009071942.tif 000002
【特許請求の範囲】
【請求項１】
屋内が停電した旨の記載がなされた第１の表示プレートと、
上記第１の表示プレートに対して、観察側にずれた状態で配置され、屋外が停電した旨の記載がなされた第２の表示プレートと、
上記第１の表示プレートを、分電盤より屋内側が通電状態にあるとき非表示位置に保持し、上記屋内側が停電状態となるとき表示位置に移動する第１のプレート移動機構と、
上記第２の表示プレートを、上記分電盤より屋外側が通電状態にあるとき非表示位置に保持し、上記屋外側が停電状態となるとき表示位置に移動する第２のプレート移動機構と
を備えることを特徴とする停電表示装置。
【請求項２】
上記第１のプレート移動機構は、ブレーカの負荷側から電源の供給を受け、上記ブレーカの負荷側が通電状態にあるとき上記第１の表示プレートを非表示位置に保持する保持状態となり、上記ブレーカの負荷側が停電状態となるとき上記保持状態を解除する第１のプレート保持部を有し、
上記第２のプレート移動機構は、ブレーカの電源側から電源の供給を受け、上記ブレーカの電源側が通電状態にあるとき上記第２の表示プレートを非表示位置に保持する保持状態となり、上記ブレーカの電源側が停電状態となるとき上記保持状態を解除する第２のプレート保持部を有する
ことを特徴とする請求項１に記載の停電表示装置。
【請求項３】
上記表示位置は上記非表示位置の下方に位置し、
上記第１のプレート保持部が上記保持状態を解除するとき、上記第１の表示プレートは重力により、上記非表示位置から上記表示位置に移動し、
上記第２のプレート保持部が上記保持状態を解除するとき、上記第２の表示プレートは重力により、上記非表示位置から上記表示位置に移動する
ことを特徴とする請求項２に記載の停電表示装置。
【請求項４】
上記第１の表示プレートが上記表示位置に移動したか否かを検出する第１の検出器と、
上記第２の表示プレートが上記表示位置に移動したか否かを検出する第２の検出器と、
上記第１の検出器および上記第２の検出器の検出出力に基づいて、少なくとも停電状態を表示する表示部とをさらに備える
ことを特徴とする請求項１に記載の停電表示装置。
【請求項５】
ユーザが音声の説明を求めるときに操作する操作部と、
上記操作部の操作に応じて、上記表示部の表示内容を説明する音声を出力する音声出力部とをさらに備える
ことを特徴とする請求項４に記載の停電表示装置。
【発明の詳細な説明】
【技術分野】
【０００１】
この発明は、停電原因が分電盤より屋内側なのか屋外側なのかを示す停電表示装置に関する。
【背景技術】
【０００２】
停電には、分電盤より屋外側に原因がある場合と、分電盤より屋内側に原因がある場合とがある。分電盤より屋外側に原因がある場合としては、（１）電力設備の改善や増強などを計画的に行うための作業停電、（２）雷、台風、鳥類などの自然災害、あるいは交通事故等が原因で発生する事故停電、（３）電柱上の変圧器（バンク）単位で発生し、当該変圧器から供給されている全ての需要家が停電となるバンク停電などがある。また、分電盤より屋内側に原因がある場合としては、需要家の屋内配線設備の不良や電気機器の故障によるショート、あるいは規定容量以上の電気使用により,ブレーカ（遮断器）が動作したことによる需要家内停電がある。
【０００３】
一般的には、需要家内停電の場合、ブレーカが「切」状態となるので、ユーザは、停電原因が屋内側にあることを容易に知ることができる。しかし、需要家内停電の場合であっても、ブレーカの種類によっては、完全に「切」状態とはならず、目視によって停電原因が屋内側にあると判断できない場合がある。
【０００４】
特許文献１には、停電原因が分電盤より屋外側にあるか屋内側にあるかを、ユーザが、表示ランプの点灯状態に基づいて、判断可能としたものが提案されている。
【特許文献１】特開平８−３７７２２号公報
【発明の開示】
【発明が解決しようとする課題】
【０００５】
特許文献１に記載される技術では、ユーザは、停電原因が分電盤より屋外側にあるか屋内側にあるかを、表示ランプの点灯状態に基づいて判断するものであり、停電原因が分電盤より屋外側にあるか屋内側にあるかを目視により直接的に認識することができない。
【０００６】
この発明の目的は、停電原因が分電盤より屋内側なのか屋外側なのかをユーザが目視により直接的に認識可能とすることにある。
【課題を解決するための手段】
【０００７】
この発明の概念は、
屋内が停電した旨の記載がなされた第１の表示プレートと、
上記第１の表示プレートに対して、観察側にずれた状態で配置され、屋外が停電した旨の記載がなされた第２の表示プレートと、
上記第１の表示プレートを、分電盤より屋内側が通電状態にあるとき非表示位置に保持し、上記屋内側が停電状態となるとき表示位置に移動する第１のプレート移動機構と、
上記第２の表示プレートを、上記分電盤より屋外側が通電状態にあるとき非表示位置に保持し、上記屋外側が停電状態となるとき表示位置に移動する第２のプレート移動機構と
を備えることを特徴とする停電表示装置にある。
【０００８】
この発明においては、停電原因が屋内側にあるとき、分電盤より屋内側が停電状態となる。この場合、第１のプレート移動機構により、第１の表示プレートが表示位置に移動され、ユーザはその記載内容を観察できる状態となる。そのため、ユーザは、当該第１の表示プレートの記載内容から停電原因が屋内側にあることを認識できる。
【０００９】
一方、停電原因が屋外側にあるとき、分電盤より屋外側が停電状態となると同時に、分電盤より屋内側も停電状態となる。この場合、第１のプレート移動機構により第１の表示プレートが表示位置に移動され、第２のプレート移動機構により第２の表示プレートも表示位置に移動されるが、第２の表示プレートの方が観察側に位置するので、ユーザは第２の表示プレートの記載内容を観察できる状態となる。そのため、ユーザは、当該第２の表示プレートの記載内容から停電原因が屋外側にあることを認識できる。
【００１０】
このように、この発明においては、停電原因が分電盤より屋内側なのか屋外側なのかに応じて、第１の表示プレートの記載あるいは第２の表示プレートの記載がユーザに提示されるので、ユーザは、停電原因が分電盤より屋内側なのか屋外側なのかを、提示された表示プレートの記載から目視により直接的に認識できる。
【００１１】
また、この発明において、例えば、第１のプレート移動機構は、ブレーカの負荷側から電源の供給を受け、ブレーカの負荷側が通電状態にあるとき第１の表示プレートを非表示位置に保持する保持状態となり、ブレーカの負荷側が停電状態となるとき保持状態を解除する第１のプレート保持部を有し、第２のプレート移動機構は、ブレーカの電源側から電源の供給を受け、ブレーカの電源側が通電状態にあるとき第２の表示プレートを非表示位置に保持する保持状態となり、ブレーカの電源側が停電状態となるとき保持状態を解除する第２のプレート保持部を有する、ようにされてもよい。
【００１２】
この場合、停電原因が分電盤より屋内側にあるとき、第１のプレート保持部には電源が供給されないことから、当該第１のプレート保持部による第１の表示プレートの保持状態は解除され、当該第１の表示プレートは表示位置に移動可能となる。また、停電原因が分電盤より屋外側にあるとき、第１、第２のプレート保持部には電源が供給されないことから、当該第１、第２のプレート保持部による第１、第２の表示プレートの保持状態は解除され、当該第１、第２の表示プレートは表示位置に移動可能となる。
【００１３】
このように、第１のプレート保持部がブレーカの負荷側から電源の供給を受ける構成とし、また、第２のプレート保持部がブレーカの電源側から電源の供給を受ける構成とすることで、第１、第２のプレート保持部における保持状態の解除を、停電状態の検出を伴う複雑な制御を行うことなく、簡単に行うことができる。
【００１４】
また、この発明において、例えば、表示位置は非表示位置の下方に位置し、第１のプレート保持部が保持状態を解除するとき、第１の表示プレートは重力により、非表示位置から表示位置に移動し、第２のプレート保持部が保持状態を解除するとき、第２の表示プレートは重力により、非表示位置から表示位置に移動する、ようにされてもよい。この場合、第１、第２の表示プレートは重力により非表示位置から表示位置に移動するものであり、第１、第２の表示プレートを非表示位置から表示位置に移動させるための部材（部品）が不要となり、簡単かつ安価に構成できる。
【００１５】
また、この発明において、例えば、第１の表示プレートが表示位置に移動したか否かを検出する第１の検出器と、第２の表示プレートが表示位置に移動したか否かを検出する第２の検出器と、第１の検出器および第２の検出器の検出出力に基づいて、少なくとも停電状態を表示する表示部とをさらに備える、ようにされてもよい。この場合、第１、第２の表示プレートによる停電の表示とは別個の場所に例えば液晶パネル等を用いて停電状態、緊急連絡先、簡単な対処方法等を表示できる。
【００１６】
また、この発明において、例えば、ユーザが音声の説明を求めるときに操作する操作部と、操作部の操作に応じて、表示部の表示内容を説明する音声を出力する音声出力部とをさらに備える、ようにされてもよい。この場合、ユーザが操作部を操作することで、音声により表示部の表示内容が説明されるので、ユーザは、停電状態、緊急連絡先、簡単な対処方法などを、音声を通して理解可能となる。
【発明の効果】
【００１７】
この発明によれば、停電原因が分電盤より屋内側なのか屋外側なのかをユーザが目視により直接的に認識できる。
【発明を実施するための最良の形態】
【００１８】
図１、図２は、実施の形態としての、停電表示装置１００の構成例を示している。図１は、停電表示装置１００の外観を示す斜視図、図２は、図１の縦断面を概略的に示した図である。停電表示装置１００は、図１に示すように、箱状の筐体１０１を有している。この筐体１０１には、ユーザの観察側に対応した前面下部に四角形状の表示窓１０２が設けられている。ユーザは、この表示窓１０２を通して、後述するように、表示プレートの記載内容を観察する。また、この筐体１０１には、右側側面の下部に、後述するように、表示プレートの収納部に収納されている説明板を取り出すための四角形状の取り出し窓１０３ａ，１０３ｂが設けられている。
【００１９】
筐体１０１の内部には、当該内部を前後に２分するように、隔壁１０４が設けられている。この隔壁１０４の下部にも、筐体１０１の前面下部に設けられた表示窓１０２に対応した開口１０５が設けられている。また、筐体１０１の背面の内部の、上述した表示窓１０２、開口１０５に対応した位置に、表示板１０６が貼り付けられている。図３（ａ）は、表示板１０６を、観察側から見た図である。この表示板１０６には、例えば、「通電中です。」の語句が記載されている。
【００２０】
筐体１０１の内部は上述したように隔壁１０４で２分されており、観察側に対して、後側に空間部１０７ａが形成され、前側に空間部１０７ｂが形成されている。空間部１０７ａには第１の表示プレート１０８ａが配置され、空間部１０７ｂには第２の表示プレート１０８ｂが配置されている。この場合、第２の表示プレート１０８ｂは、第１の表示プレート１０８ａに対して、観察側にずれた状態で配置されていることになる。
【００２１】
図３（ｂ）は、第１の表示プレート１０８ａを、観察側から見た図である。この第１の表示プレート１０８ａには、例えば、「屋内が停電しました。」の語句が記載されている。図３（ｃ）は、第２の表示プレート１０８ｂを、観察側から見た図である。この第２の表示プレート１０８ｂには、例えば、「屋外が停電しました。」の語句が記載されている。
【００２２】
表示プレート１０８ａ，１０８ｂは肉厚に形成されており、それぞれ、説明板（図示せず）を着脱自在に収納するための収納部１０９ａ，１０９ｂが形成されている。この収納部１０９ａ，１０９ｂの収納口は、表示プレート１０８ａ，１０８ｂの右側側面に形成されている。例えば、第１の表示プレート１０８ａの収納部１０９ａに収納される説明板には、緊急連絡先、停電原因が分電盤より屋内側であった場合におけるユーザの対処方法等が記載される。また、例えば、第２の表示プレート１０８ｂの収納部１０９ｂに収納される説明板には、緊急連絡先、停電原因が分電盤より屋外側であった場合におけるユーザの対処方法等が記載される。
【００２３】
空間部１０７ａの上部には巻き取り装置１１０ａが固定されている。この巻き取り装置１１０ａは、第１の表示プレート１０８ａの上部に一端が固定されたワイヤ１１１ａを巻き取るための装置である。巻き取り装置１１０ａに電源が供給されるとき、巻き取り装置１１０ａはワイヤ１１１ａを巻き取っていき、図２に実線で示すように、第１の表示プレート１０８ａを非表示位置に保持する保持状態となる。そして、この保持状態において、巻き取り装置１１０ａに電源が供給されなくなるとき、当該保持状態は解除され、第１の表示プレート１０８ａは、重力により落下していき、図２に破線で示すように、表示位置に移動する。巻き取り装置１１０ａは、第１のプレート保持部を構成している。
【００２４】
空間部１０７ｂの上部には巻き取り装置１１０ｂが固定されている。この巻き取り装置１１０ｂは、第２の表示プレート１０８ｂの上部に一端が固定されたワイヤ１１１ｂを巻き取るための装置である。巻き取り装置１１０ｂに電源が供給されるとき、巻き取り装置１１０ｂはワイヤ１１１ｂを巻き取っていき、図２に実線で示すように、第２の表示プレート１０８ｂを非表示位置に保持する保持状態となる。そして、この保持状態において、巻き取り装置１１０ｂに電源が供給されなくなるとき、当該保持状態は解除され、第２の表示プレート１０８ｂは、重力により落下していき、図２に破線で示すように、表示位置に移動する。巻き取り装置１１０ｂは、第２のプレート保持部を構成している。
【００２５】
上述した巻き取り装置１１０ａには、分電盤１２０を構成する主ブレーカ１２１の負荷側から電源が供給される。一方、上述した巻き取り装置１１０ｂには、主ブレーカ１２１の電源側から電源が供給される。なお、主ブレーカ１２１の負荷側は、分岐ブレーカ１２２_1〜１２２_nを介して、負荷１２３_1〜１２３_nに接続されている。また、主ブレーカ１２１の電源側は、例えば柱上変圧器１２４の二次側に接続されている。
【００２６】
図１、図２に示す停電表示装置１００の動作を説明する。
【００２７】
まず、主ブレーカ１２１の電源側および負荷側の双方とも通電状態にある場合を説明する。この場合、巻き取り装置１１０ａに電源が供給されているので、巻き取り装置１１０ａはワイヤ１１１ａを巻き取った状態となっており、第１の表示プレート１０８ａは、非表示位置に保持される（図２の実線位置参照）。また、この場合、巻き取り装置１１０ｂに電源が供給されているので、巻き取り装置１１０ｂはワイヤ１１１ｂを巻き取った状態となっており、第２の表示プレート１０８ｂは、非表示位置に保持される（図２の実線位置参照）。
【００２８】
そのため、図４（ａ）に示すように、第１の表示プレート１０８ａおよび第２の表示プレート１０８ｂは、非表示位置に保持された状態にあり、ユーザは、表示窓１０２および開口１０５を通じて、表示板１０６の記載内容「通電中です。」を観察できる状態となる。これにより、ユーザは、当該表示板１０６の記載内容から、通電状態にあることを認識できる。
【００２９】
次に、分電盤１２０より屋内側に停電原因があって、主ブレーカ１２１が遮断状態となり、当該主ブレーカ１２１の電源側は通電状態にあるが、当該主ブレーカの負荷側は停電状態にある場合を説明する。この場合、巻き取り装置１１０ａに電源が供給されないので、巻き取り装置１１０ａによる第１の表示プレート１０８ａの保持状態は解除され、当該第１の表示プレート１０８ａは、重力により落下していき、表示位置に移動する（図２の破線位置参照）。また、この場合、巻き取り装置１１０ｂに電源が供給されているので、巻き取り装置１１０ｂはワイヤ１１１ｂを巻き取った状態となっており、第２の表示プレート１０８ｂは、非表示位置に保持される（図２の実線位置参照）。
【００３０】
そのため、図４（ｂ）に示すように、第２の表示プレート１０８ｂは非表示位置に保持された状態にあるが、第１の表示プレート１０８ａは表示位置に移動した状態となり、ユーザは、表示窓１０２および開口１０５を通じて、第１の表示プレート１０８ａの記載内容「屋内が停電しました。」を観察できる状態となる。これにより、ユーザは、当該第１の表示プレート１０８ａの記載内容から、停電原因が屋内側にあることを認識できる。
【００３１】
なお、図５は、上述したように第２の表示プレート１０８ｂが非表示位置にあり、第１の表示プレート１０８ａのみが表示位置に移動した場合における、右側面図を示している。この場合、取り出し窓１０３ａを通して、第１の表示プレート１０８ａの右側面が露出した状態となる。そのため、ユーザは、第１の表示プレート１０８ａの収納部１０９ａに収納されている説明板（図示していない）を、取り出し窓１０３ａを通じて取り出すことができ、当該説明板に記載されている緊急連絡先、停電原因が分電盤より屋内側であった場合におけるユーザの対処方法等を参照できる。
【００３２】
次に、分電盤１２０より屋外側に停電原因があって、主ブレーカ１２１の電源側および負荷側の双方が停電状態にある場合を説明する。この場合、巻き取り装置１１０ａに電源が供給されないので、巻き取り装置１１０ａによる第１の表示プレート１０８ａの保持状態は解除され、当該第１の表示プレート１０８ａは、重力により落下していき、表示位置に移動する（図２の破線位置参照）。また、この場合、巻き取り装置１１０ｂに電源が供給されないので、巻き取り装置１１０ｂによる第２の表示プレート１０８ｂの保持状態は解除され、当該第２の表示プレート１０８ｂは、重力により落下していき、表示位置に移動する（図２の破線位置参照）。
【００３３】
そのため、図４（ｃ）に示すように、第１の表示プレート１０８ａおよび第２の表示プレート１０８ｂは表示位置に移動した状態となり、ユーザは、表示窓１０２を通じて、第２の表示プレート１０８ｂの記載内容「屋外が停電しました。」を観察できる状態となる。これにより、ユーザは、当該第２の表示プレート１０８ｂの記載内容から、停電原因が屋外側にあることを認識できる。
【００３４】
なお、図示していないが、この場合、取り出し窓１０３ｂを通して、第２の表示プレート１０８ｂの右側面が露出した状態となる。そのため、ユーザは、第２の表示プレート１０８ｂの収納部１０９ｂに収納されている説明板を、取り出し窓１０３ｂを通じて取り出すことができ、当該説明板に記載されている緊急連絡先、停電原因が分電盤より屋外側であった場合におけるユーザの対処方法等を参照できる。
【００３５】
なお、上述では、表示プレート１０８ａ，１０８ｂを用いた表示機構について説明した。この実施の形態における停電表示装置１００は、筐体１０１とは、別の場所に設置されるモニター装置１３０をさらに備えている。例えば、上述した筐体１０１は分電盤１２０の近傍位置に設置されるが、モニター装置１３０は居間等に設置される。
【００３６】
図６は、モニター装置１３０の前面を示している。このモニター装置１３０の筐体１３１の前面には、液晶パネル１３２、スピーカ１３３、およびユーザが音声説明を求める際に操作する音声出力ボタン１３４が配置されている。
【００３７】
図７は、モニター装置１３０の回路構成を示している。この図７において、図６と対応する部分には同一符号を付して示している。なお、このモニター装置１３０の電源としては、例えば、電池が使用される。
【００３８】
このモニター装置１３０は、上述した液晶パネル１３２、スピーカ１３３および音声出力ボタン１３４の他に、制御部１３５、パネル駆動部１３６、音声信号増幅部１３７およびスイッチ素子１３８ａ，１３８ｂを有している。
【００３９】
制御部１３５は、モニター装置１３０の全体の動作を制御する。この制御部１３５には、音声出力ボタン１３４が接続されている。また、この制御部１３５には、スイッチ素子１３８ａ，１３８ｃが接続されている。
【００４０】
スイッチ素子１３８ａは、上述した第１の表示プレート１０８ａが表示位置に移動したか否かを検出する第１の検出器を構成している。このスイッチ素子１３８ａは、図２に示すように、空間部１０７ａの底部に配置されている。スイッチ素子１３８ａは、例えば、第１の表示プレート１０８ａが非表示位置（実線位置）にあるときはオフ状態にあるが、この第１の表示プレート１０８ａが表示位置（破線位置）に移動するとき、当該第１の表示プレート１０８ａの下端で操作されてオン状態となる。したがって、このスイッチ素子１３８ａにより、第１の表示プレート１０８ａが表示位置に移動したか否かが検出され、その検出出力は制御部１３５に供給される。
【００４１】
また、スイッチ素子１３８ｂは、上述した第２の表示プレート１０８ｂが、表示位置に移動したか否かを検出する第２の検出器を構成している。このスイッチ素子１３８ｂは、図２に示すように、空間部１０７ｂの底部に配置されている。スイッチ素子１３８ｂは、例えば、第２の表示プレート１０８ｂが非表示位置（実線位置）にあるときはオフ状態にあるが、この第２の表示プレート１０８ｂが表示位置（破線位置）に移動するとき、当該第２の表示プレート１０８ｂの下端で操作されてオン状態となる。したがって、このスイッチ素子１３８ｂにより、第２の表示プレート１０８ｂが表示位置に移動したか否かが検出され、その検出出力は制御部１３５に供給される。
【００４２】
図７に戻って、パネル駆動部１３６は、制御部１３５から供給される表示データに基づいて液晶パネル１３２を駆動し、液晶パネル１３２に所定の情報を表示する。音声信号増幅部１３７は、制御部１３５から供給される音声信号を増幅してスピーカ１３３に供給する。
【００４３】
図６、図７に示すモニター装置１３０の動作を説明する。
【００４４】
まず、上述したように、分電盤１２０より屋内側に停電原因があって、主ブレーカ１２１が遮断状態となり、当該主ブレーカ１２１の電源側は通電状態にあるが、当該主ブレーカの負荷側は停電状態にある場合を説明する。
【００４５】
この場合、図４（ｂ）に示すように、第２の表示プレート１０８ｂは非表示位置に保持された状態にあるが、第１の表示プレート１０８ａは表示位置に移動した状態となる。そのため、スイッチ素子１３８ａの検出出力は第１の表示プレート１０８ａが表示位置に移動したことを示し、スイッチ素子１３８ｂの検出出力は第２の表示プレート１０８ｂが表示位置に移動していないことを示すものとなる。
【００４６】
そのため、制御部１３５では、スイッチ素子１３８ａ，１３８ｂの検出出力に基づいて、分電盤１２０より屋内側に停電原因がある第１の停電状態にあると判断され、当該第１の停電状態に対応した表示データがパネル駆動部１３６に供給される。したがって、液晶パネル１３２には、第１の停電状態に対応した情報が表示される。例えば、図６に示すように、液晶パネル１３２には、「・屋内が停電しています。」、「・連絡先は○○電力××です。」、「・対処方法は・・・です。」等、停電状態（停電原因が屋内であること）、緊急連絡先、対処方法等が表示される。
【００４７】
また、この状態で、ユーザが音声出力ボタン１３４を押圧操作すると、制御部１３５から音声信号増幅部１３７に、液晶パネル１３２の表示内容に対応した音声信号が供給される。したがって、スピーカ１３３からは、液晶パネル１３２の表示内容に対応した音声が出力され、表示内容が音声で説明される。
【００４８】
次に、上述したように、分電盤１２０より屋外側に停電原因があって、主ブレーカ１２１の電源側および負荷側の双方が停電状態にある場合を説明する。この場合、図４（ｃ）に示すように、第１の表示プレート１０８ａおよび第２の表示プレート１０８ｂは表示位置に移動した状態となる。そのため、スイッチ素子１３８ａの検出出力は第１の表示プレート１０８ａが表示位置に移動したことを示し、スイッチ素子１３８ｂの検出出力は第２の表示プレート１０８ｂが表示位置に移動したことを示すものとなる。
【００４９】
そのため、制御部１３５では、スイッチ素子１３８ａ，１３８ｂの検出出力に基づいて、分電盤１２０より屋外側に停電原因がある第２の停電状態にあると判断され、当該第２の停電状態に対応した表示データがパネル駆動部１３６に供給される。したがって、液晶パネル１３２には、第２の停電状態に対応した情報、つまり、停電状態（停電原因が屋外であること）、緊急連絡先、対処方法等が表示される。
【００５０】
また、この状態で、ユーザが音声出力ボタン１３４を押圧操作すると、制御部１３５から音声信号増幅部１３７に、液晶パネル１３２の表示内容に対応した音声信号が供給される。したがって、スピーカ１３３からは、液晶パネル１３２の表示内容に対応した音声が出力され、表示内容が音声で説明される。
【００５１】
以上説明したように、上述した停電表示装置１００においては、停電原因が分電盤１２０より屋内側なのか屋外側なのかに応じて、第１の表示プレート１０８ａの記載あるいは第２の表示プレート１０８ｂの記載がユーザに提示されるので、ユーザは、停電原因が分電盤１２０より屋内側なのか屋外側なのかを、提示された表示プレートの記載から目視により直接的に認識できる。
【００５２】
また、上述した停電表示装置１００においては、表示プレート１０８ａ，１０８ｂに説明板の収納部１０９ａ，１０９ｂが設けられていると共に、筐体１０１に取り出し窓１０３ａ，１０３ｂを設けられている。そのため、ユーザは、停電原因が分電盤１２０より屋内側にある場合、第１の表示プレート１０８ａの収納部１０９ａに収納されている説明板を、取り出し窓１０３ａを通して取り出し、緊急連絡先、対処方法等を知ることができる。同様に、ユーザは、停電原因が分電盤１２０より屋外側にある場合、第２の表示プレート１０８ｂの収納部１０９ｂに収納されている説明板を、取り出し窓１０３ｂを通して取り出し、緊急連絡先、対処方法等を知ることができる。
【００５３】
また、上述した停電表示装置１００においては、第１のプレート保持部を構成する巻き取り装置１１０ａが主ブレーカ１２１の負荷側から電源の供給を受けると共に、第２のプレート保持部を構成する巻き取り装置１１０ｂが主ブレーカ１２１の電源側から電源の供給を受ける構成とされている。そのため、巻き取り装置１１０ａ，１１０ｂにおける保持状態の解除を、主ブレーカ１２１の負荷側、電源側の停電状態の検出を伴う複雑な制御を行うことなく、簡単に行うことができる。
【００５４】
また、上述した停電表示装置１００においては、表示プレート１０８ａ，１０８ｂの位置に関して、表示位置は非表示位置の下方に位置するようにされている。そのため、巻き取り装置１１０ａ，１１０ｂが保持状態を解除するとき、表示プレート１０８ａ，１０８ｂは重力により、非表示位置から表示位置に移動する。したがって、表示プレート１０８ａ，１０８ｂを非表示位置から表示位置に移動させるための部材（部品）が不要となり、簡単、かつ安価に構成できる。
【００５５】
また、上述した停電表示装置１００においては、表示プレート１０８ａ，１０８ｂを用いた表示機構の他に、当該表示プレート１０８ａ，１０８ｂの表示位置への移動に基づいて停電状態などを表示するモニター装置１３０が備えられている。したがって、ユーザは、表示プレート１０８ａ，１０８ｂによる表示機構の設置場所とは別の場所で、停電状態、緊急連絡先、簡単な対処方法等の情報を得ることができる。
【００５６】
また、上述した停電装置１００においては、上述したモニター装置１３０に音声出力ボタン１３４が設置されており、ユーザが当該音声出力ボタン１３４を押圧操作した場合、液晶パネル１３２の表示内容が音声で説明される。したがって、ユーザは、停電状態、緊急連絡先、簡単な対処方法などを、音声を通して理解することも可能となる。
【００５７】
なお、上述の実施の形態においては、第１、第２の表示プレート１０８ａ，１０８ｂを非表示位置に保持するプレート保持部を巻き取り装置１１０ａ，１１０ｂで構成したものであるが、プレート保持部はその他の構成であってもよい。例えば、プレート保持部は、電磁石を用いて保持する構成、あるいは、爪をプレートの側面に係止させて保持する構成等であってもよい。
【００５８】
上述したように巻き取り装置１１０ａ，１１０ｂを用いる場合、停電が復旧したとき、巻き取り装置１１０ａ，１１０ｂによってワイヤ１１１ａ，１１１ｂが自動的に巻き取られ、第１、第２の表示プレート１０８ａ，１０８ｂは非表示位置に保持された状態となる。しかし、電磁石、あるいは爪を用いて保持する構成の場合には、停電が復旧した場合、第１、第２の表示プレート１０８ａ，１０８ｂが非表示位置に自動的に戻るものではなく、第１、第２の表示プレート１０８ａ，１０８ｂを非表示位置に戻す作業が必要となる。
【００５９】
また、上述の実施の形態においては、表示プレート１０８ａ，１０８ｂは非表示位置から下方に移動することで表示位置に達するものを示した。しかし、表示プレート１０８ａ，１０８ｂの移動方向はこれに限定されるものではなく、例えば、非表示位置から水平方向に移動することで表示位置に達するような構成も考えられる。その場合には、表示プレート１０８ａ，１０８ｂの保持状態を解除した際に、非表示位置から表示位置に移動するように、コイルバネなどの付勢力が必要となる。
【産業上の利用可能性】
【００６０】
この発明は、停電原因が分電盤より屋内側なのか屋外側なのか等の停電情報をユーザに提示する場合に適用できる。
【図面の簡単な説明】
【００６１】
【図１】実施の形態としての停電表示装置の外観を示す斜視図である。
【図２】図１の縦断面を概略的に示した図である。
【図３】表示位置、第１の表示プレート、第２の表示プレートの記載内容を示す図である。
【図４】主ブレーカの電源側および負荷側の各状態における第１、第２の表示プレートの位置を説明するための図である。
【図５】表示プレートの説明板の収納部と、筐体に設けた取り出し窓との対応関係を示す図である。
【図６】モニター装置の前面を示す図である。
【図７】モニター装置の回路構成を示すブロック図である。
【符号の説明】
【００６２】
１００・・・停電表示装置、１０１・・・筐体、１０２・・・表示窓、１０３ａ，１０３ｂ・・・取り出し窓、１０４・・・隔壁、１０５・・・開口、１０６・・・表示板、１０７ａ，１０７ｂ・・・空間部、１０８ａ・・・第１の表示プレート、１０８ｂ・・・第２の表示プレート、１０９ａ，１０９ｂ・・・収納部、１１０ａ，１１０ｂ・・・巻き取り装置、１１１ａ，１１１ｂ・・・ワイヤ、１２０・・・分電盤、１２１・・・主ブレーカ、１２２_1〜１２２_n・・・分岐ブレーカ、１２３_1〜１２３_n・・・負荷、１２４・・・柱上変圧器、１３０・・・モニター装置、１３１・・・筐体、１３２・・・液晶パネル、１３３・・・スピーカ、１３４・・・音声出力ボタン、１３５・・・制御部、１３６・・・パネル駆動部、１３７・・・音声信号増幅部、１３８ａ，１３８ｂ・・・スイッチ素子
【図１】
2009071942.tif 000003
【図２】
2009071942.tif 000004
【図３】
2009071942.tif 000005
【図４】
2009071942.tif 000006
【図５】
2009071942.tif 000007
【図６】
2009071942.tif 000008
【図７】
2009071942.tif 000009